(57)【特許請求の範囲】
【請求項１】
肘を置くアームレストが高さ調節可能に構成される建設機械のアームレスト装置であって、
前記アームレストを支持する第１の支柱と、
前記第１の支柱を上下方向に移動自在に支持する第２の支柱と、
前記第２の支柱に対する前記第１の支柱の相対位置を固定する締結具と、
上下方向に沿って前記第１の支柱および第２の支柱の一方に固定された丸棒と、前記第１の支柱および第２の支柱の他方における前記丸棒に対向する位置に設けられ、前記丸棒に当接した状態で相対的に上下方向に移動可能な溝部とにより構成される緩み防止手段と、
前記締結具が、前記第１の支柱および第２の支柱に挿通された状態で緩んだ状態にある時に、前記第２の支柱に対する前記第１の支柱の上下方向の相対移動を停止して前記アームレストが落下するのを防止する落下防止手段と、
を備えることを特徴とする建設機械のアームレスト装置。
【請求項２】
前記第１の支柱および第２の支柱はそれぞれ四角筒状の支柱であり、
前記第２の支柱の内部に前記第１の支柱が挿入され、
前記第２の支柱の一側板部には、前記第１の支柱の上下方向の移動量に応じた長さの長孔が設けられ、
前記第１の支柱の一側板部には、前記長孔に対応する第１の挿通孔が設けられ、
前記第１の支柱の一側板部には、前記第１の挿通孔に対応する雌螺子部を有するナット部材が固着され、
前記第１の支柱の他側板部には、前記雌螺子部に対応する第２の挿通孔が設けられ、
前記締結具は、前記長孔と前記第１の挿通孔とを通して前記雌螺子部にねじ込まれる雄螺子部を有する螺子軸を備えてなり、
前記落下防止手段は、
前記第２の支柱の他側板部に前記第１の支柱の上下方向の移動量に応じて所定ピッチで設けられる複数の係止孔と、
前記締結具の前記雄螺子部と同一軸線上に形成され、前記第２の挿通孔を通して前記複数の係止孔の中から選択される１つの係止孔に突入可能な係止軸部と、
により構成されるものである請求項１に記載の建設機械のアームレスト装置。
【請求項３】
前記第１の支柱および第２の支柱はそれぞれ四角筒状の支柱であり、
前記第２の支柱の内部に前記第１の支柱が挿入され、
前記第２の支柱の一側板部には、挿通孔が設けられ、
前記第１の支柱の一側板部には、当該第１の支柱の上下方向の移動量に応じて所定ピッチで設けられる複数の係止孔と、前記係止孔間にその係止孔の内径寸法より幅寸法を小さくしたストレート孔とからなる長孔が設けられ、
前記第１の支柱の内部には、前記挿通孔に対応する雌螺子部を有するナット部材および回り止めプレートが上下方向に移動自在に組み込まれ、
前記締結具は、前記挿通孔と前記長孔とを通して前記雌螺子部にねじ込まれる雄螺子部を有する螺子軸を備えてなり、
前記落下防止手段は、
前記第１の支柱の一側板部に設けられた前記複数の係止孔と、
前記締結具の前記雄螺子部と同一軸線上に形成され、前記挿通孔を通して前記複数の係止孔の中から選択される１つの係止孔と係合可能な係止軸部と、
により構成されるものである請求項１に記載の建設機械のアームレスト装置。
【請求項４】
前記係止軸部を前記係止孔に押し込む方向に移動させる付勢力を前記螺子軸に作用させるスプリングが設けられる請求項３に記載の建設機械のアームレスト装置。
【請求項５】
前記第１の支柱および第２の支柱はそれぞれ四角筒状の支柱であり、
前記第２の支柱の内部に前記第１の支柱が挿入され、
前記第２の支柱の一側板部には、前記第１の支柱の上下方向の移動量に応じて所定ピッチで設けられる複数の係止孔と、前記係止孔間にその係止孔の内径寸法より幅寸法を小さくしたストレート孔とからなる長孔が設けられ、
前記第１の支柱の一側板部には、前記長孔に対応する挿通孔が設けられ、
前記第１の支柱の内部には、前記挿通孔に対応する雌螺子部を有するナット部材がその第１の支柱の一側板部と他側板部との間で移動自在に組み込まれ、
前記締結具は、前記長孔と前記挿通孔とを通して前記雌螺子部にねじ込まれる雄螺子部を有する螺子軸を備えてなり、
前記落下防止手段は、
前記第２の支柱の一側板部に設けられた前記複数の係止孔と、
前記締結具の前記雄螺子部と同一軸線上に形成され、前記複数の係止孔の中から選択される１つの係止孔と係合可能な係止軸部と、
により構成されるものである請求項１に記載の建設機械のアームレスト装置。
【請求項６】
前記係止軸部を前記係止孔に押し込む方向に移動させる付勢力を前記螺子軸に作用させるスプリングが設けられる請求項５に記載の建設機械のアームレスト装置。
【請求項７】
前記第１の支柱および第２の支柱はそれぞれ四角筒状の支柱であり、
前記第２の支柱の内部に前記第１の支柱が挿入され、
前記第２の支柱の側板部には、挿通孔が設けられ、
前記落下防止手段は、
前記第１の支柱の側板部に前記第１の支柱の上下方向の移動量に応じて所定ピッチで前記挿通孔に対応するように設けられる複数の係止孔と、
前記第２の支柱の前記挿通孔と同心を成すように該第２の支柱に固着されるケーシング部の内部に組み込まれ、スプリングの付勢力により前記挿通孔を通して前記複数の係止孔の中から選択される１つの係止孔に係合する方向に移動されるプランジャと、
により構成されるものである請求項１に記載の建設機械のアームレスト装置。
【発明の詳細な説明】
【技術分野】
【０００１】
本発明は、肘を置くアームレストが高さ調節可能に構成される建設機械のアームレスト装置に関するものである。
【背景技術】
【０００２】
この種の従来のアームレスト装置として、例えば特許文献１にて提案されているものがある。
【先行技術文献】
【特許文献】
【０００３】
【特許文献１】特開平１０−３３１１９９号公報
【０００４】
図１７に示されるように、特許文献１に係るアームレスト装置１００は、コンソールボックス１０１の背面側に付設されている。このアームレスト装置１００は、アームレスト１０２を支持する支柱１０３を備えている。この支柱１０３は、断面が矩形状で上下方向に円弧状に延びる形状とされ、コンソールボックス１０１の背面に取り付けられた筒状のガイド１０４によって上下方向に移動自在とされている。
【０００５】
支柱１０３の背面には、当該支柱１０３の上下方向の移動量に応じて所定ピッチで半円状の複数の溝１０３ａが設けられている。
ガイド１０４には、支柱１０３を保持するための所要のピン１０５，１０６が固設されている。ピン１０５は、支柱１０３の前面に当接するように、ピン１０６は、溝１０３ａと係止するように、それぞれ配置されている。
ガイド１０４の背面上部には、固定螺子１０７が螺着されている。固定螺子１０７の先端は、支柱１０３の背面に接当されている。
【０００６】
アームレスト１０２の高さを調節するときには、固定螺子１０７を緩め、ピン１０６と溝１０３ａとの係止状態を解除し、支柱１０３を少し傾けて長手方向に移動させ、適当な位置でピン１０６と溝１０３ａとを係止させる。その後、固定螺子１０７を締めて、係止状態を保持する。
【０００７】
ところで、このアームレスト装置１００においては、固定螺子１０７の緩みを防止する手段が施されていない。このため、固定螺子１０７の締付不足や振動等が原因で、固定螺子１０７が緩む恐れがある。固定螺子１０７が緩むと、ピン１０６と溝１０３ａとの係止状態が解除され、支柱１０３が少し傾くと、アームレスト１０２が落下する恐れがあるという問題点がある。
【発明の概要】
【発明が解決しようとする課題】
【０００８】
本発明は、前述のような問題点に鑑みてなされたもので、アームレストの高さ位置の固定に関わる締結具の緩みを防止することができるとともに、万一、締結具の締付不足等が原因で締結具が緩んでいるとしても、アームレストが落下するのを防止することができる建設機械のアームレスト装置を提供することを目的とするものである。
【課題を解決するための手段】
【０００９】
前記目的を達成するために、第１発明による建設機械のアームレスト装置は、
肘を置くアームレストが高さ調節可能に構成される建設機械のアームレスト装置であって、
前記アームレストを支持する第１の支柱と、
前記第１の支柱を上下方向に移動自在に支持する第２の支柱と、
前記第２の支柱に対する前記第１の支柱の相対位置を固定する締結具と、
上下方向に沿って前記第１の支柱および第２の支柱の一方に固定された丸棒と、前記第１の支柱および第２の支柱の他方における前記丸棒に対向する位置に設けられ、前記丸棒に当接した状態で相対的に上下方向に移動可能な溝部とにより構成される緩み防止手段と、
前記締結具が、前記第１の支柱および第２の支柱に挿通された状態で緩んだ状態にある時に、前記第２の支柱に対する前記第１の支柱の上下方向の相対移動を停止して前記アームレストが落下するのを防止する落下防止手段と、
を備えることを特徴とするものである。
【００１０】
第１発明において、
前記第１の支柱および第２の支柱はそれぞれ四角筒状の支柱であり、
前記第２の支柱の内部に前記第１の支柱が挿入され、
前記第２の支柱の一側板部には、前記第１の支柱の上下方向の移動量に応じた長さの長孔が設けられ、
前記第１の支柱の一側板部には、前記長孔に対応する第１の挿通孔が設けられ、
前記第１の支柱の一側板部には、前記第１の挿通孔に対応する雌螺子部を有するナット部材が固着され、
前記第１の支柱の他側板部には、前記雌螺子部に対応する第２の挿通孔が設けられ、
前記締結具は、前記長孔と前記第１の挿通孔とを通して前記雌螺子部にねじ込まれる雄螺子部を有する螺子軸を備えてなり、
前記落下防止手段は、
前記第２の支柱の他側板部に前記第１の支柱の上下方向の移動量に応じて所定ピッチで設けられる複数の係止孔と、
前記締結具の前記雄螺子部と同一軸線上に形成され、前記第２の挿通孔を通して前記複数の係止孔の中から選択される１つの係止孔に突入可能な係止軸部と、
により構成されるものであるとすることができる（第２発明）。
【００１１】
第１発明において、
前記第１の支柱および第２の支柱はそれぞれ四角筒状の支柱であり、
前記第２の支柱の内部に前記第１の支柱が挿入され、
前記第２の支柱の一側板部には、挿通孔が設けられ、
前記第１の支柱の一側板部には、当該第１の支柱の上下方向の移動量に応じて所定ピッチで設けられる複数の係止孔と、前記係止孔間にその係止孔の内径寸法より幅寸法を小さくしたストレート孔とからなる長孔が設けられ、
前記第１の支柱の内部には、前記挿通孔に対応する雌螺子部を有するナット部材および回り止めプレートが上下方向に移動自在に組み込まれ、
前記締結具は、前記挿通孔と前記長孔とを通して前記雌螺子部にねじ込まれる雄螺子部を有する螺子軸を備えてなり、
前記落下防止手段は、
前記第１の支柱の一側板部に設けられた前記複数の係止孔と、
前記締結具の前記雄螺子部と同一軸線上に形成され、前記挿通孔を通して前記複数の係止孔の中から選択される１つの係止孔と係合可能な係止軸部と、
により構成されるものであるとすることができる（第３発明）。
【００１２】
第３発明において、
前記係止軸部を前記係止孔に押し込む方向に移動させる付勢力を前記螺子軸に作用させるスプリングが設けられるのが好ましい（第４発明）。
【００１３】
第１発明において、
前記第１の支柱および第２の支柱はそれぞれ四角筒状の支柱であり、
前記第２の支柱の内部に前記第１の支柱が挿入され、
前記第２の支柱の一側板部には、前記第１の支柱の上下方向の移動量に応じて所定ピッチで設けられる複数の係止孔と、前記係止孔間にその係止孔の内径寸法より幅寸法を小さくしたストレート孔とからなる長孔が設けられ、
前記第１の支柱の一側板部には、前記長孔に対応する挿通孔が設けられ、
前記第１の支柱の内部には、前記挿通孔に対応する雌螺子部を有するナット部材がその第１の支柱の一側板部と他側板部との間で移動自在に組み込まれ、
前記締結具は、前記長孔と前記挿通孔とを通して前記雌螺子部にねじ込まれる雄螺子部を有する螺子軸を備えてなり、
前記落下防止手段は、
前記第２の支柱の一側板部に設けられた前記複数の係止孔と、
前記締結具の前記雄螺子部と同一軸線上に形成され、前記複数の係止孔の中から選択される１つの係止孔と係合可能な係止軸部と、
により構成されるものであるとすることができる（第５発明）。
【００１４】
第５発明において、
前記係止軸部を前記係止孔に押し込む方向に移動させる付勢力を前記螺子軸に作用させるスプリングが設けられるのが好ましい（第６発明）。
【００１５】
第１発明において、
前記第１の支柱および第２の支柱はそれぞれ四角筒状の支柱であり、
前記第２の支柱の内部に前記第１の支柱が挿入され、
前記第２の支柱の側板部には、挿通孔が設けられ、
前記落下防止手段は、
前記第１の支柱の側板部に前記第１の支柱の上下方向の移動量に応じて所定ピッチで前記挿通孔に対応するように設けられる複数の係止孔と、
前記第２の支柱の前記挿通孔と同心を成すように該第２の支柱に固着されるケーシング部の内部に組み込まれ、スプリングの付勢力により前記挿通孔を通して前記複数の係止孔の中から選択される１つの係止孔に係合する方向に移動されるプランジャと、
により構成されるものであるとすることができる（第７発明）。
【発明の効果】
【００１７】
第１発明に係る建設機械のアームレスト装置においては、アームレストを支持する第１の支柱が第２の支柱によって上下方向に移動自在に支持されている。第２の支柱に対する第１の支柱の相対位置は、締結具によって固定される。締結具は、アームレストの高さ位置の固定に関わるものである。
第１の支柱および第２の支柱のうちの一方に固定された丸棒と、第１の支柱および第２の支柱のうちの他方に設けられた溝部とが当接されることにより、締結具を緩める方向への第１の支柱と第２の支柱との相対移動が止められる。これにより、簡易な構成で締結具が緩むのを確実に防止することができる。
万一、締結具の締付不足等が原因で締結具が緩んでいる状態にあるときでも、第２の支柱に対する第１の支柱の上下方向の相対移動が落下防止手段によって止められる。これにより、アームレストが落下するのを防止することができる。
第１発明に係る建設機械のアームレスト装置によれば、アームレストの高さ位置の固定に関わる締結具の緩みを防止することができる。また、万一、締結具の締付不足等が原因で締結具が緩んでいるとしても、アームレストが落下するのを防止することができる。
【００１８】
第２発明に係る建設機械のアームレスト装置においては、締結具の螺子軸に雄螺子部と同一軸線上に形成される係止軸部が、第１の支柱に設けられた第２の挿通孔と、第２の支柱に設けられた複数の係止孔の中から選択される１つの係止孔とを通してその選択された係止孔から突出される。これにより、締結具の締付不足等が原因で締結具が緩んでいるとしても、アームレストが落下するのを簡易な構成で確実に防止することができる。
【００１９】
第３発明に係る建設機械のアームレスト装置においては、締結具の螺子軸に雄螺子部と同一軸線上に形成される係止軸部が、第１の支柱に設けられた複数の係止孔の中から選択される１つの係止孔と係合される。これにより、締結具の締付不足等が原因で締結具が緩んでいるとしても、アームレストが落下するのを簡易な構成で確実に防止することができる。
【００２０】
第４発明に係る建設機械のアームレスト装置においては、係止軸部を係止孔に押し込む方向に移動させる付勢力を締結具の螺子軸に作用させるスプリングが設けられる。こうして、係止軸部が係止孔に向けて押し勝手に付勢されることにより、係止軸部の係止孔への挿入動作をより容易に行うことができる。
また、スプリングの付勢力に抗して係止孔から係止軸部を引き離すように締結具を引っ張らない限り、つまり明確な意思を持って係合解除操作を行わない限り、係止軸部と係止孔との係合状態が解除されない。このため、締結具に対して多少の振動や衝撃が加わったり、締結具に不意に接触したりしても、係止軸部と係止孔との係合状態を安定的に保つことができる。
【００２１】
第５発明に係る建設機械のアームレスト装置においては、締結具の螺子軸に雄螺子部と同一軸線上に形成される係止軸部が、第２の支柱に設けられた複数の係止孔の中から選択される１つの係止孔と係合される。これにより、締結具の締付不足等が原因で締結具が緩んでいるとしても、アームレストが落下するのを簡易な構成で確実に防止することができる。
【００２２】
第６発明に係る建設機械のアームレスト装置においては、係止軸部を係止孔に押し込む方向に移動させる付勢力を締結具の螺子軸に作用させるスプリングが設けられる。こうして、係止軸部が係止孔に向けて押し勝手に付勢されることにより、係止軸部の係止孔への挿入動作をより容易に行うことができる。
また、スプリングの付勢力に抗して係止孔から係止軸部を引き離すように締結具を引っ張らない限り、つまり明確な意思を持って係合解除操作を行わない限り、係止軸部と係止孔との係合状態が解除されない。このため、締結具に対して多少の振動や衝撃が加わったり、締結具に不意に接触したりしても、係止軸部と係止孔との係合状態を安定的に保つことができる。
【００２３】
第７発明に係る建設機械のアームレスト装置においては、プランジャが、第２の支柱に設けられた挿通孔を通して、第１の支柱に設けられた複数の係止孔の中から選択される１つの係止孔と係合される。これにより、締結具の締付不足等が原因で締結具が緩んでいるとしても、アームレストが落下するのを簡易な構成で確実に防止することができる。
【００２４】
また、プランジャが係止孔に向けて押し勝手に付勢されることにより、プランジャの係止孔への挿入動作をより容易に行うことができる。
また、スプリングの付勢力に抗して係止孔からプランジャを引き離すようにプランジャを引っ張らない限り、つまり明確な意思を持って係合解除操作を行わない限り、プランジャと係止孔との係合状態が解除されない。このため、プランジャに対して多少の振動や衝撃が加わったり、プランジャに不意に接触したりしても、係止軸部と係止孔との係合状態を安定的に保つことができる。
【図面の簡単な説明】
【００２５】
【図１】本発明の第１の実施形態に係るアームレスト装置を具備する油圧ショベルの全体斜視図
【図２】運転席ユニットの全体斜視図
【図３】コンソールの全体斜視図
【図４】第１の実施形態に係るアームレスト装置の要部縦断面図（ａ）、（ａ）のＡ−Ａ線断面図（ｂ）、（ａ）のＢ−Ｂ線断面図（ｃ）および（ａ）のＣ矢視図（ｄ）
【図５】図４（ａ）のＤ部拡大図
【図６】図４（ａ）のＥ−Ｅ線断面図
【図７】第１の実施形態のアームレスト装置のアームレスト高さ調節動作の説明図で、係止解除状態を表す要部縦断面図（ａ）および（ａ）のＦ−Ｆ線断面図（ｂ）
【図８】第２の実施形態に係るアームレスト装置の要部縦断面図（ａ）、（ａ）のＧ−Ｇ線断面図（ｂ）、（ａ）のＨ−Ｈ線断面図（ｃ）および（ａ）のＩ矢視図（ｄ）
【図９】図８（ａ）のＪ部拡大図
【図１０】第２の実施形態のアームレスト装置のアームレスト高さ調節動作の説明図で、係止状態を表す要部縦断面図（ａ）、（ａ）のＫ−Ｋ線断面図（ｂ）、係止解除状態を表す要部縦断面図（ｃ）および（ｃ）のＬ−Ｌ線断面図（ｄ）
【図１１】第３の実施形態に係るアームレスト装置の要部縦断面図（ａ）、（ａ）のＭ−Ｍ線断面図（ｂ）および（ａ）のＮ−Ｎ線断面図（ｃ）
【図１２】図１１のＯ部拡大図
【図１３】第３の実施形態のアームレスト装置のアームレスト高さ調節動作の説明図で、係止状態を表す要部縦断面図（ａ）、（ａ）のＰ−Ｐ線断面図（ｂ）、係止解除状態を表す要部縦断面図（ｃ）および（ｃ）のＱ−Ｑ線断面図（ｄ）
【図１４】本発明の第４の実施形態に係るアームレスト装置の要部の左側面図（ａ）および背面図（ｂ）
【図１５】図１４（ｂ）のＲ−Ｒ線断面図（ａ）、（ａ）のＳ−Ｓ線断面図（ｂ）および（ａ）Ｔ−Ｔ線断面図（ｃ）
【図１６】第４の実施形態のアームレスト装置のアームレスト高さ調節動作の説明図で、係止状態を表す要部縦断面図（ａ）、（ａ）のＵ−Ｕ線断面図（ｂ）、係止解除状態を表す要部縦断面図（ｃ）および（ｃ）のＶ−Ｖ線断面図（ｄ）
【図１７】従来技術の説明図
【発明を実施するための形態】
【００２６】
次に、本発明による建設機械のアームレスト装置の具体的な実施の形態について、図面を参照しつつ説明する。
なお、以下に述べる実施の形態は、油圧ショベルの運転席ユニットに配備されるコンソールに組み付けのアームレスト装置に本発明が適用された例である。しかし、これに限定されるものではなく、油圧ショベル以外の例えばブルドーザやホイールローダ等を含む建設機械に装備されるアームレスト装置にも本発明が適用されるのは言うまでもない。また、以下の説明において、前後左右方向は、特段の断りがない限り、運転席（オペレータシート）に着座したオペレータを基準とする前後左右方向に一致させている。
【００２７】
〔第１の実施形態〕
＜油圧ショベルの概略説明：図１参照＞
図１に示される油圧ショベル１は、履帯式走行装置２ａを具備する下部走行体２を備えている。
下部走行体２上には、上部旋回体３が旋回自在に設置されている。
上部旋回体３の前部中央部分には、ブーム４、アーム５およびバケット６が互いに回動自在に連結されてなる作業機７が屈曲起伏自在に取り付けられている。
上部旋回体３の前部左側部分には、運転室を構成するキャブ８が設置されている。
上部旋回体３の後部には、最後部に搭載されるカウンタウェイト９との間においてエンジンフード１０等のカバー類で区画形成されるエンジンルーム１１が設けられている。
【００２８】
＜運転席ユニットの概略説明：図２参照＞
図２に示されるように、キャブ８内の床部材１２上には、運転席ユニット１３が設置されている。
運転席ユニット１３は、床部材１２上に固定される台座１４を備えている。この台座１４上には、サスペンション装置１５を介してオペレータシート１６が前後方向に移動調節可能に取り付けられている。オペレータシート１６の左右両側には、それぞれコンソール１７，１７´が配設されている。
左右のコンソール１７，１７´は、本体部分を構成するコンソール筐体１８，１８´に、作業機の操作レバー１９，１９´やアームレスト装置２０，２０´などが一纏めに配設されて構成されている。
左右のコンソール１７，１７´に配設されるアームレスト装置２０，２０´は、基本的に同構造のものである。代表として、左側のコンソール１７に配設されるアームレスト装置２０について以下に説明する。
【００２９】
＜アームレスト装置の概略説明：図３参照＞
図３に示されるように、アームレスト装置２０は、肘を置くアームレスト２０ａが高さ調節可能に構成されるものである。
アームレスト装置２０は、アームレスト２０ａを支持する四角筒状の内支柱２１を備えている。この内支柱２１は、コンソール筐体１８に立設される四角筒状の外支柱２２の内部に挿入されている。外支柱２２は、内支柱２１を上下方向に移動自在に支持している。
【００３０】
＜内支柱の説明：図４（ａ）、図５参照＞
図４（ａ）に示されるように、内支柱２１の頂部には、アームレスト２０ａを上下方向に回動可能に支持するアームレスト支承部２３が形成されている。
内支柱２１の下部には、外支柱２２の後側板部２２ａに沿って下方に真っ直ぐに延びる脚部２４が形成されている。
図５に示されるように、内支柱２１の上下方向中間部における後側板部２１ａには、丸形状の第１の挿通孔２５が設けられている。
内支柱２１の後側板部２１ａの内面には、第１の挿通孔２５に対応する雌螺子部２６ａを有するナット部材２６が固着されている。
内支柱２１の前側板部２１ｂには、ナット部材２６の雌螺子部２６ａに対応する丸形状の第２の挿通孔２７が設けられている。
【００３１】
＜外支柱の説明：図４（ｄ）、図５、図７（ｂ）参照＞
図５および図７（ｂ）に示されるように、外支柱２２の後側板部２２ａには、内支柱２１の上下方向の移動量に応じた長さの長孔２８が設けられている。この長孔２８は、角丸長方形状で、内支柱２１の後側板部２１ａに設けられた第１の挿通孔２５に対応可能に配置されている。
図４（ｄ）および図５に示されるように、外支柱２２の前側板部２２ｂには、内支柱２１の上下方向の移動量に応じて上下方向に所定ピッチで４つの係止孔２９，・・，２９が設けられている。これら係止孔２９，・・，２９は、いずれも丸形状で、内支柱２１の前側板部２１ｂに設けられた第２の挿通孔２７に対応可能に配置されている。
【００３２】
＜締結具の説明：図５参照＞
図５に示されるように、内支柱２１と外支柱２２とは、締結具３０によって締結されている。これにより、外支柱２２に対する内支柱２１の相対位置が固定される。
締結具３０は、螺子軸３０ａの基端部にノブ３０ｂが設けられて構成されている。螺子軸３０ａは、ノブ３０ｂ側から先端側に向かって同一軸線上に順に形成される第１軸部３１、第１雄螺子部３２、第２軸部３３、第２雄螺子部３４および第３軸部３５をそれぞれ有している。
第１軸部３１は、その端面の外周部が外支柱２２の長孔２８の周縁に接触可能な径寸法に設定されている。
第１雄螺子部３２は、外支柱２２の長孔２８と内支柱２１の第１の挿通孔２５とを通して、内支柱２１に固着されているナット部材２６の雌螺子部２６ａにねじ込まれる。
第２軸部３３は、第１雄螺子部３２よりも小径で、第１雄螺子部３２と第２雄螺子部３４とを繋ぐ中間軸の役目をする。
第２雄螺子部３４は、第１雄螺子部３２と同径かつ同ピッチで、第１雄螺子部３２がナット部材２６から外れたときに、締結具３０が離脱しないようにナット部材２６に引っ掛かるストッパとして機能する。
第３軸部３５は、内支柱２１における第２の挿通孔２７と、外支柱２２における４つの係止孔２９の中から選択される１つの係止孔２９とを通してその選択された係止孔２９から所定の突出量で突出可能な形状寸法に設定されている。
【００３３】
＜高さ調整機構の概略説明：図６参照＞
図６に示されるように、外支柱２２の内部には、高さ調整機構４０が組み込まれている。この高さ調整機構４０は、外支柱２２に対する内支柱２１の相対的な位置を段階的に調整することでアームレスト２０ａの高さ位置を段階的に調整する機構である。この高さ調整機構４０は、デテントバネ４１と、プレート部材４２とを備えている。
【００３４】
＜デテントバネの説明：図６参照＞
デテントバネ４１は、内支柱２１の底板部２１ｅに固定されている。このデテントバネ４１は、上面板部４１ａの両側部から下方に延びる２本の脚板部４１ｂ，４１ｂを有する逆Ｕの字形状に折り曲げ形成されてなるものである。各脚板部４１ｂの下端部には、内向きに山状に折り曲げられてなる係合山部４３が形成されている。このデテントバネ４１においては、２本の脚板部４１ｂ，４１ｂを外側に押し広げる方向に弾性変形させた状態で、プレート部材４２の側面部を両側から挟み込むことができるようになっている。
【００３５】
＜プレート部材の説明：図６参照＞
プレート部材４２は、外支柱２２の後側板部２２ａの内面にブロック部材４４を介して立ち上がり状に取り付けられている。このプレート部材４２は、ボルト４５の締付によってブロック部材４４に固定される取付板部４２ａから上方に延びてデテントバネ４１の２本の脚板部４１ｂ，４１ｂの間に差し込まれる差し込み板部４２ｂを有してなるものである。差し込み板部４２ｂの両側部には、デテントバネ４１の左右一組の係合山部４３，４３が嵌り込む左右一組の係合谷部４６，４６が内支柱２１の上下方向の移動量に応じて上下方向に所定ピッチで４組設けられている。
【００３６】
＜高さ調整機構の機能説明：図６参照＞
この高さ調整機構４０においては、デテントバネ４１の係合山部４３，４３とプレート部材４２の係合谷部４６，４６との係合位置を変えることにより、外支柱２２に対する内支柱２１の相対的な位置を段階的に調整することができ、アームレスト２０ａの高さ位置を４段階に調整することができる。また、デテントバネ４１の係合山部４３，４３がプレート部材４２の係合谷部４６，４６に係合することで、これらを高さ検知部として機能させて、左右を同じ高さに合わせやすくすることができる。また、左右対称に係合谷部４６，４６を形成することで、アームレスト２０ａを上下に移動させるために必要な力のかけかたを均等に設定することができる。
【００３７】
＜緩み防止手段の説明：図４（ａ）（ｂ）（ｃ）参照＞
さらに、外支柱２２の内部には、図４（ａ）に示されるように、緩み防止手段５０が組み込まれている。この緩み防止手段５０は、締結具３０を緩める方向への内支柱２１と外支柱２２との相対移動を止めて締結具３０が緩むのを防止するものである。
この緩み防止手段５０は、図４（ｃ）に示されるように、丸棒５１と反力受けプレート５２とを備えて構成されている。
丸棒５１は、外支柱２２の後側板部２２ａの内面に上下方向に沿って固着されている。なお、この丸棒５１においては、内支柱２１の上下方向の移動量に対応するため、その長さ寸法が、外支柱２２に設けられた４つの係止孔２９，・・，２９の配置領域の上下方向の距離よりも長くされている。また、丸棒５１の高さ方向に配置に関し、丸棒５１は、４つの係止孔２９，・・，２９の最下段の係止孔２９よりも下側に位置されている。
反力受けプレート５２は、丸棒５１に対向する位置に配され、内支柱２１の脚部２４の下端部に固着されている。この反力受けプレート５２には、溝部５２ａが形成されている。この溝部５２ａは、丸棒５１を両側から挟むように当接する一対の当接面を有するＶ字形状に形成されている。そして、内支柱２１が上下方向に移動する際には、反力受けプレート５２が溝部５２ａの一対の当接面を丸棒５１の外周面に当接させた状態で外支柱２２に対して相対的に上下方向に移動可能とされている。
ところで、アームレスト２０ａに左右方向の荷重Ｆ（図４（ｂ）参照）が加わると、内支柱２１と外支柱２２との間の左右方向のクリアランスの範囲内で、内支柱２１が外支柱２２に対し締結具３０の螺子軸３０ａを中心として左右方向に回動する。この内支柱２１の左右方向の回動により、締結具３０が緩む恐れがある。
緩み防止手段５０においては、内支柱２１の上下方向の移動可能範囲の任意の位置で、反力受けプレート５２の溝部５２ａが丸棒５１に当接され、内支柱２１の左右方向の回動を阻止するための反力が確保されるようになっている。このため、締結具３０を緩める方向、言い換えれば締結具３０の雄螺子部３２に対してナット部材２６を緩める方向、すなわち後側から見て締結具３０の螺子軸３０ａを中心として時計回り（右回り）の方向へ、内支柱２１を外支柱２２に対して回動させるのを止めることができ、締結具３０が緩むのを確実に防止することができる。
なお、丸棒５１を外支柱２２に固着する態様の他に、外支柱２２の所要部位に対して絞り加工を施して、丸棒５１に相当する凸部を形成する態様もあり得る。また、丸棒５１と反力受けプレートの取付位置を逆にすることもできる。
【００３８】
＜落下防止手段の説明：図５参照＞
万一、締結具３０の締付不足等が原因で締結具３０が緩んでいる状態にあるときでも、アームレスト２０ａの落下を防止する落下防止手段５５が設けられている。この落下防止手段５５は、外支柱２２に設けられる４つの係止孔２９，・・，２９と、締結具３０の螺子軸３０ａに設けられる第３軸部３５とにより構成されている。
この落下防止手段５５においては、締結具３０の第３軸部３５が、内支柱２１の第２の挿通孔２７と４つの係止孔２９，・・，２９の中から選択される１つの係止孔２９とを通してその選択された係止孔２９から所定の突出量で突出されている。このため、締結具３０が多少緩んでいる状態にあるときでも、また締結具３０の緩みが更に進行したとしても、係止孔２９と第３軸部３５とが係止状態にある限り、内支柱２１と外支柱２２とが第３軸部３５によって互いに引っ掛かった状態になり、外支柱２２に対する内支柱２１の上下方向の相対移動が止められる。これにより、アームレスト２０ａが落下するのを確実に防止することができる。
【００３９】
＜高さ調整機構と落下防止手段の関係説明：図４（ｄ）、図６参照＞
図４（ｄ）に示される４つの係止孔２９，・・，２９の上下方向のピッチと図６に示される４組の係合谷部４６，４６；・・；４６，４６の上下方向のピッチとは、一致されている。このため、高さ調整機構４０によって外支柱２２に対する内支柱２１の相対的な位置を４段階に調整する際、外支柱２２に設けられる４つの係止孔２９，・・，２９のうちの調整段階毎に対応する１つの係止孔２９と、内支柱２１の第２の挿通孔２７との高さ位置を自動的に一致させることができる。したがって、その高さ調整後において、選択された係止孔２９に第３軸部３５を突入させる係止操作を容易に行うことができる。
【００４０】
＜アームレストの高さ調節動作の説明：図５、図６、図７（ａ）参照＞
アームレスト２０ａの高さを調節するときには、図７（ａ）に示されるように、係止孔２９から第３軸部３５が抜けるまで締結具３０を緩める。このとき、たとえ第１雄螺子部３２がナット部材２６から外れるまで締結具３０が緩められたとしても、第２雄螺子部３４がナット部材２６に引っ掛かるため、締結具３０の脱落を防止することができる。
次いで、アームレスト２０ａまたは締結具３０のノブ３０ｂを持って内支柱２１を外支柱２２に対し上下方向に移動させ、アームレスト２０ａを好みの高さ位置に調整する。この際、高さ調整機構４０（図６参照）により、アームレスト２０ａを４段階の高さ位置に容易に調整することができる。なお、デテントバネ４１がプレート部材４２を挟み込む付勢力によって、締結具３０を締め付ける前の段階でも、アームレスト２０ａの自然落下を防止することができ、アームレスト２０ａを好みの高さ位置に保持することができる。
そして、アームレスト２０ａの好みの高さ位置が定まったら、第１雄螺子部３２をナット部材２６の雌螺子部にねじ込むようにして締結具３０を締め付けて、外支柱２２に対する内支柱２１の相対位置を固定する。このとき、締結具３０の第３軸部３５は、図５に示されるように、内支柱２１の第２の挿通孔２７を通して外支柱の４つの係止孔２９，・・，２９の中から選択された１つの係止孔２９に突入される。
【００４１】
＜第１の実施形態の作用効果の説明：図４（ａ）参照＞
第１の実施形態のアームレスト装置２０においては、締結具３０を緩める方向への内支柱２１と外支柱２２との相対移動が緩み防止手段５０によって止められる。これにより、締結具３０が緩むのを防止することができる。また、万一、締結具３０の締付不足等が原因で締結具３０が緩んでいる状態（非固定時）にあるときでも、外支柱２２に対する内支柱２１の上下方向の相対移動が落下防止手段５５によって止められる。これにより、アームレスト２０ａが落下するのを防止することができる。
【００４２】
〔第２の実施形態〕
図８には、本発明の第２の実施形態に係るアームレスト装置の要部縦断面図（ａ）、（ａ）のＧ−Ｇ線断面図（ｂ）、（ａ）のＨ−Ｈ線断面図（ｃ）および（ａ）のＩ矢視図（ｄ）がそれぞれ示されている。なお、本実施形態において、第１の実施形態と同一または同様のものについては図に同一符号を付すに留めてその詳細な説明を省略することとし、以下においては、第１の実施形態と異なる点を中心に説明することとする。
【００４３】
＜内支柱の説明：図８（ａ）（ｄ）、図９、図１０（ｂ）参照＞
図８（ａ）に示されるように、内支柱２１の上下方向中間部における後側板部２１ａには、当該内支柱２１の上下方向の移動量に応じた長さの長孔５６が設けられている。さらに、図１０（ｂ）に示されるように、内支柱２１の後側板部２１ａには、当該内支柱２１の上下方向の移動量に応じて上下方向に所定ピッチで４つの丸形状の係止孔５７，・・，５７が長孔５６と一体的に設けられている。なお、この長孔５６において、互いに隣り合う係止孔５７，５７の間は直線状のストレート孔５８とされている。ストレート孔５８の左右方向の幅寸法は、係止孔５７の内径寸法よりも小さくされている。
図９に示されるように、内支柱２１の内部には、長孔５６に対応する雌螺子部５９ａを有するナット部材５９が上下方向に移動自在に配されている。
内支柱２１の後側板部２１ａの内面には、ナットガイドプレート６０が固着されている。このナットガイドプレート６０は、上下方向に延びるスリット部６０ａを有している。
図８（ｄ）に示されるように、スリット部６０ａにナット部材５９が嵌め込まれることで、ナット部材５９が上下方向に案内される。
【００４４】
＜回り止めプレートの説明：図８（ｄ）、図９参照＞
図９に示されるように、内支柱２１の後側板部２１ａの内面とナットガイドプレート６０との間には、回り止めプレート６１が組み込まれている。
図８（ｄ）に示されるように、回り止めプレート６１は、内支柱２１の左側板部２１ｃおよび右側板部２１ｄにそれぞれ近接可能な四角板状部材で構成されている。
図９に示されるように、回り止めプレート６１には、ナット部材５９の雌螺子部５９ａよりも十分に大きな径の丸孔６１ａがその雌螺子部５９ａと同軸線上に位置するように設けられている。ナット部材５９と回り止めプレート６１とは固着され、両者は一体となってナットガイドプレート６０の案内にて上下方向に移動自在とされている。
そして、内支柱２１の上下方向の移動範囲における任意の位置において、ナット部材５９に対する締結具３０の締付・締付解除操作時に、回り止めプレート６１の左側部および右側部がそれぞれ内支柱２１の左側板部２１ｃおよび右側板部２１ｄにそれぞれ当接して、締結具３０の回動操作力に抗する反力を確保するようにされている。こうして、ナット部材５９が締結具３０と共に回るのを防ぐことができ、ナット部材５９に対する締結具３０の締付・締付解除操作を確実に行うことができる。
なお、回り止めプレート６１の上下方向の移動がスムーズに行われるようにするため、回り止めプレート６１に対して適宜の面取り処理が施されている。
【００４５】
＜外支柱の説明：図９参照＞
外支柱２２の後側板部２２ａには、内支柱２１の長孔５６に対応するように丸形状の挿通孔６２が設けられている。
【００４６】
＜締結具の説明：図９、図１０（ａ）（ｂ）参照＞
内支柱２１と外支柱２２とは、締結具３０によって締結されている。これにより、外支柱２２に対する内支柱２１の相対位置が固定される。
締結具３０は、螺子軸３０ａの基端部にノブ３０ｂが設けられて構成されている。螺子軸３０ａは、ノブ３０ｂ側から先端側に向かって同一軸線上に順に形成される第１軸部６５、第２軸部６６、雄螺子部６７および第３軸部６８をそれぞれ有している。
第１軸部６５は、その端面の外周部が外支柱２２の挿通孔６２の周縁に接触可能な径寸法に設定されている。
第２軸部６６は、外支柱２２の挿通孔６２を通して内支柱２１の４つの係止孔５７，・・，５７の中から選択される１つの係止孔５７と係合可能で、第１軸部６５と雄螺子部６７とを繋ぐ中間軸の役目をする。なお、第２軸部６６の外径寸法は、内支柱２１の長孔５６におけるストレート孔５８の幅寸法よりも大きいため、第２軸部６６はストレート孔５８を通過することができない（図１０（ｂ）参照）。
雄螺子部６７は、外支柱２２の挿通孔６２と内支柱２１の長孔５６とを通してナット部材５９の雌螺子部５９ａにねじ込まれる。なお、雄螺子部６７の外径寸法は、内支柱２１の長孔５６におけるストレート孔５８の幅寸法よりも小さいため、雄螺子部６７はストレート孔５８を通過することができる（図１０（ｄ）参照）。
第３軸部６８は、雄螺子部６７よりも小径で、ナット部材５９の雌螺子部５９ａ内に配され、この雌螺子部５９ａへの雄螺子部６７のねじ込み操作の際のガイド軸の役目をする。
【００４７】
＜締結具の付勢手段の説明：図９参照＞
締結具３０における螺子軸３０ａの第１軸部６５の外周には、圧縮コイル型のスプリング６９が装着されている。スプリング６９の前端は、第１軸部６５の前端部に設けられた外向きのフランジ６５ａに当接されている。スプリング６９の後端は、スプリング６９を覆うスプリングカバー７０の内向きのフランジ７０ａに当接されている。スプリングカバー７０は、外支柱２２の後側板部２２ａの外面に固定さている。
このスプリング６９は、締結具３０の第２軸部６６を外支柱２２の挿通孔６２を通して内支柱２１の係止孔５７に押し込む方向に移動させる付勢力を螺子軸３０ａに作用させる役目をする。
【００４８】
＜落下防止手段の説明：図９、図１０（ｂ）参照＞
万一、締結具３０の締付不足等が原因で締結具３０が緩んでいる状態（非固定時）にあるときでも、アームレスト２０ａの落下を防止する落下防止手段５５Ａが設けられている。この落下防止手段５５Ａは、内支柱２１に設けられる４つの係止孔５７，・・・，５７と、締結具３０の螺子軸３０ａに設けられる第２軸部６６とにより構成されている。
この落下防止手段５５Ａにおいては、締結具３０の第２軸部６６が内支柱２１に設けられた４つの係止孔５７，・・・，５７の中から選択される１つの係止孔５７と係合される。第２軸部６６の外径寸法は、内支柱２１の長孔５６におけるストレート孔５８の幅寸法よりも大きいため、第２軸部６６はストレート孔５８を通過することができない（図１０（ｂ）参照）。このため、締結具３０が多少緩んでいる状態にあるときでも、また締結具３０の緩みが更に進行して雄螺子部６７がナット部材５９から外れたとしても、内支柱２１と外支柱２２とが第２軸部６６によって互いに引っ掛かった状態になり、外支柱２２に対する内支柱２１の上下方向の相対移動が止められる。これにより、アームレスト２０ａが落下するのを確実に防止することができる。
【００４９】
＜高さ調整機構と落下防止手段の関係説明：図６、図１０（ｂ）参照＞
図１０（ｂ）に示される４つの係止孔５７，・・，５７の上下方向のピッチと図６に示される４組の係合谷部４６，４６；・・；４６，４６の上下方向のピッチとは、一致されている。このため、高さ調整機構４０によって外支柱２２に対する内支柱２１の相対的な位置を４段階に調整する際、内支柱２１に設けられる４つの係止孔５７，・・，５７のうちの調整段階毎に対応する１つの係止孔５７と、外支柱２２の挿通孔６２との高さ位置を自動的に一致させることができる。したがって、その高さ調整後において、選択された係止孔５７に第２軸部６６を突入させる係止操作を容易に行うことができる。
【００５０】
＜アームレストの高さ調節動作の説明：図１０（ａ）〜（ｄ）参照＞
アームレスト２０ａの高さを調節するときには、図１０（ａ）に示されるように、ナット部材５９から雄螺子部６７が外れるまで締結具３０を緩める。このとき、たとえ雄螺子部６７がナット部材５９から外れるまで締結具３０が緩められたとしても、同図（ｂ）に示されるように、締結具３０の第２軸部６６が４つの係止孔５７，・・，５７のいずれか１つの係止孔５７と係合されている状態が保持されるので、内支柱２１と外支柱２２とが第２軸部６６によって互いに引っ掛かった状態になり、外支柱２２に対する内支柱２１の上下方向の相対移動が止められ、アームレスト２０ａが落下するようなことはない。
次いで、アームレスト２０ａの現在の高さ位置を保持するように持った状態で、同図（ｃ）に示されるように、スプリング６９の付勢力に抗して第２軸部６６が係止孔５７から抜けるまで締結具３０を引っ張り、更にスプリング６９が全縮状態になるまで締結具を引っ張る。すると、同図（ｄ）に示されるように、螺子軸３０ａの雄螺子部６７が内支柱２１の長孔５６の位置に配される。雄螺子部６７は長孔５６におけるストレート孔５８を通過することができるため、内支柱２１を上下方向に移動させることが可能な状態となる。
次いで、スプリング６９が全縮状態になるまで引っ張った締結具３０のその状態を保ったまま、アームレスト２０ａを持って内支柱２１を外支柱２２に対し上下方向に移動させ、アームレスト２０ａを好みの高さ位置に調整する。この際、高さ調整機構４０（図６参照）により、アームレスト２０ａを４段階の高さ位置に容易に調整することができる。なお、デテントバネ４１がプレート部材４２を挟み込む付勢力によって、締結具３０を締め付ける前の段階でも、アームレスト２０ａの自然落下を防止することができ、アームレスト２０ａを好みの高さ位置に保持することができる。
次いで、アームレスト２０ａの好みの高さ位置が定まったら、引っ張り続けていた締結具３０を離す。すると、スプリング６９の付勢力により、締結具３０の第２軸部６６が外支柱２２の挿通孔６２を通して内支柱２１の４つの係止孔５７，・・，５７の中から選択された１つの係止孔５７に突入され、雄螺子部６７がナット部材５９の雌螺子部５９ａに押し当てられる。
そして、雄螺子部５９を雌螺子部５９ａにねじ込むようにして締結具３０を締め付けて、外支柱２２に対する内支柱２１の相対位置を固定する。
【００５１】
＜第２の実施形態の作用効果の説明：図９参照＞
第２の実施形態のアームレスト装置２０Ａによっても、第１の実施形態のアームレスト装置２０と同様の作用効果を得ることができる。
さらに、第２の実施形態のアームレスト装置２０Ａにおいては、第２軸部６６を係止孔５７に押し込む方向に移動させる付勢力を締結具３０の螺子軸３０ａに作用させるスプリング６９が設けられる。こうして、第２軸部６６が係止孔５７に向けて押し勝手に付勢されることにより、第２軸部６６の係止孔５７への挿入動作をより容易に行うことができる。また、スプリング６９の付勢力に抗して係止孔５７から第２軸部６６を引き離すように締結具３０を引っ張らない限り、つまり明確な意思を持って係合解除操作を行わない限り、第２軸部６６と係止孔５７との係合状態が解除されない。このため、締結具３０に対して多少の振動や衝撃が加わったり、締結具３０に不意に接触したりしても、第２軸部６６と係止孔５７との係合状態を安定的に保つことができる。
【００５２】
〔第３の実施形態〕
図１１には、本発明の第３の実施形態に係るアームレスト装置の要部縦断面図（ａ）、（ａ）のＭ−Ｍ線断面図（ｂ）および（ａ）のＮ−Ｎ線断面図（ｃ）がそれぞれ示されている。なお、本実施形態において、第１の実施形態と同一または同様のものについては図に同一符号を付すに留めてその詳細な説明を省略することとし、以下においては、第１の実施形態と異なる点を中心に説明することとする。
【００５３】
＜内支柱の説明：図１１（ａ）参照＞
内支柱２１の上下方向中間部における後側板部２１ａには、丸形状の挿通孔７１が設けられている。
内支柱２１の内部には、ナット部材７２が前後方向に移動自在に配されている。
内支柱２１の後側板部２１ａの内面には、ナットガイドシリンダ７３が固着されている。
【００５４】
＜ナット部材の説明：図１２参照＞
図１２に示されるように、ナット部材７２は、内支柱２１の後側板部２１ａ側から前側板部２１ｂ側に向かって同一軸線上に順に形成される小径円筒部と大径円筒部との境界を示す段付き面７２ａを有している。
ナット部材７２の中心部には、後端位置から前端側に向かって所定の長さ寸法で、内支柱２１の挿通孔７１に対応する雌螺子部７２ｂが形成されている。さらに、ナット部材７２の中心部には、雌螺子部７２ｂから前端位置に亘って、雌螺子部７２ｂの内径寸法よりも大きな内径寸法で雌螺子部７２ｂと同軸を成す中空部７２ｃが形成されている。
ナット部材７２における大径円筒部の外周面には、回り止めプレート部７２ｄが一体的に設けられている。
【００５５】
＜回り止めプレート部の説明：図１１（ｂ）参照＞
図１１（ｂ）に示されるように、回り止めプレート部７２ｄは、内支柱２１の左側板部２１ｃおよび右側板部２１ｄにそれぞれ近接可能な四角板状部材で構成されている。そして、ナット部材７２に対する締結具３０の締付・締付解除操作時に、回り止めプレート部７２ｄの左側部および右側部がそれぞれ内支柱２１の左側板部２１ｃおよび右側板部２１ｄにそれぞれ当接して、締結具３０の回動操作力に抗する反力を確保するようにされている。こうして、ナット部材７２が締結具３０と共に回るのを防ぐことができ、ナット部材７２に対する締結具３０の締付・締付解除操作を確実に行うことができる。
【００５６】
＜ナットガイドシリンダの説明：図１２参照＞
ナットガイドシリンダ７３は、ナット部材７２の小径円筒部が嵌合される中空部７３ａを有している。この中空部７３ａにナット部材７２の小径円筒部が嵌め込まれることで、ナット部材７２が前後方向に案内される。
ナットガイドシリンダ７３の前端面とナット部材７２の段付き面７２ａとは突き当て可能とされている。これにより、ナットガイドシリンダ７３は、ナット部材７２の後側への移動を所定位置で止めるストッパとしても役目も兼ねる。
なお、ナットガイドシリンダ７３の前部における上半分が大きく切り欠かれているのは、内支柱２１の前側の所定位置に形成された開口部２１ｆを通してナット部材７２をナットガイドシリンダ７３に組み込む際の組込作業を容易にするためである。
【００５７】
＜外支柱の説明：図１３（ｂ）参照＞
外支柱２２の後側板部２２ａには、内支柱２１の上下方向の移動量に応じた長さの長孔７４が設けられている。さらに、外支柱２２の後側板部２２ａには、内支柱２１の上下方向の移動量に応じて上下方向に所定ピッチで４つの丸形状の係止孔７５，・・，７５が長孔７４と一体的に設けられている。なお、この長孔７４において、互いに隣り合う係止孔７５，７５の間は直線状のストレート孔７６とされている。ストレート孔７６の左右方向の幅寸法は、係止孔７５の内径寸法よりも小さくされている。
【００５８】
＜締結具の説明：図１２、図１３（ｂ）（ｄ）参照＞
図１２に示されるように、内支柱２１と外支柱２２とは、締結具３０によって締結されている。これにより、外支柱２２に対する内支柱２１の相対位置が固定される。
締結具３０は、螺子軸３０ａの基端部にノブ３０ｂが設けられて構成されている。螺子軸３０ａは、ノブ３０ｂ側から先端側に向かって同一軸線上に順に形成される第１軸部７７、第２軸部７８、第１雄螺子部７９、第３軸部８０および第２雄螺子部８１をそれぞれ有している。
第１軸部７７は、その端面の外周部が外支柱２２の長孔７４の周縁に接触可能な径寸法に設定されている。
第２軸部７８は、外支柱２２の４つの係止孔７５，・・，７５の中から選択される１つの係止孔７５と係合可能で、第１軸部７７と第１雄螺子部７９とを繋ぐ中間軸の役目をする。なお、第２軸部７８の外径寸法は、外支柱２２の長孔７４におけるストレート孔７６の幅寸法よりも大きいため、第２軸部７８はストレート孔７６を通過することができない（図１３（ｂ）参照）。
第１雄螺子部７９は、外支柱２２の長孔７４と内支柱２１の挿通孔７１とを通してナット部材７２の雌螺子部７２ｂにねじ込まれる。なお、第１雄螺子部７９の外径寸法は、外支柱２２の長孔７４におけるストレート孔７６の幅寸法よりも小さいため、第１雄螺子部７９はストレート孔７６を通過することができる（図１３（ｄ）参照）。
第３軸部８０は、第１雄螺子部７９よりも小径で、第１雄螺子部７９と第２雄螺子部８１とを繋ぐ中間軸の役目をする。
第２雄螺子部８１は、第１雄螺子部７９と同径かつ同ピッチで、第１雄螺子部７９がナット部材７２から外れたときに、締結具３０が離脱しないようにナット部材７２に引っ掛かるストッパとして機能する。
【００５９】
＜締結具の付勢手段の説明：図１２参照＞
ナット部材７２の外周には、ナットガイドシリンダ７３を介して圧縮コイル型のスプリング８２が装着されている。スプリング８２の前端は、回り止めプレート部７２ｄに当接されている。スプリング８２の後端は、内支柱２１の後側板部２１ａの内面に当接されている。
このスプリング８２は、締結具３０の第２軸部７８を外支柱２２の係止孔７５に押し込む方向に移動させる付勢力をナット部材７２を介して螺子軸３０ａに作用させる役目をする。
【００６０】
＜落下防止手段の説明：図１２、図１３（ｂ）参照＞
万一、締結具３０の締付不足等が原因で締結具が緩んでいる状態（非固定時）にあるときでも、アームレスト２０ａの落下を防止する落下防止手段５５Ｂが設けられている。この落下防止手段５５Ｂは、外支柱２２に設けられる４つの係止孔７５，・・，７５と、締結具３０の螺子軸３０ａに設けられる第２軸部７８とにより構成されている。
この落下防止手段５５Ｂにおいては、締結具３０の第２軸部７８が外支柱２２に設けられた４つの係止孔７５，・・，７５の中から選択される１つの係止孔７５と係合される。第２軸部７８の外径寸法は、外支柱２２の長孔７４におけるストレート孔７６の幅寸法よりも大きいため、第２軸部７８はストレート孔７６を通過することができない（図１３（ｂ）参照）。このため、締結具３０が多少緩んでいる状態にあるときでも、内支柱２１と外支柱２２とが第２軸部７８によって互いに引っ掛かった状態になり、外支柱２２に対する内支柱２１の上下方向の相対移動が止められる。これにより、アームレスト２０ａが落下するのを確実に防止することができる。
【００６１】
＜高さ調整機構と落下防止手段の関係説明：図６、図１３（ｂ）参照＞
図１３（ｂ）に示される４つの係止孔７５，・・，７５の上下方向のピッチと図６に示される４組の係合谷部４６，４６；・・；４６，４６の上下方向のピッチとは、一致されている。このため、高さ調整機構４０によって外支柱２２に対する内支柱２１の相対的な位置を４段階に調整する際、外支柱２２に設けられる４つの係止孔７５，・・，７５のうちの調整段階毎に対応する１つの係止孔７５と、内支柱２１の挿通孔７１との高さ位置を自動的に一致させることができる。したがって、その高さ調整後において、選択された係止孔７５に螺子軸の第２軸部７８を突入させる係止操作を容易に行うことができる。
【００６２】
＜アームレストの高さ調節動作の説明：図１３（ａ）〜（ｄ）参照＞
アームレスト２０ａの高さを調節するときには、締結具３０を十分に緩める。このとき、締結具３０の第２軸部７８は、スプリング８２によってナット部材７２を介して外支柱２２の係止孔７５に押し込まれるように付勢されているので、たとえ図１３（ａ）に示されるように、第１雄螺子部７９がナット部材７２から外れるまで締結具３０が緩められたとしても、締結具３０の第２軸部７８が４つの係止孔７５，・・，７５のいずれか１つの係止孔７５と係合されている状態が保持される。このため、内支柱２１と外支柱２２とが第２軸部７８によって互いに引っ掛かった状態になり、外支柱２２に対する内支柱２１の上下方向の相対移動が止められ、アームレスト２０ａが落下するようなことはない。
次いで、アームレスト２０ａの現在の高さ位置を保持するように持った状態で、図１３（ｃ）に示されるように、スプリング８２の付勢力に抗してナット部材７２の段付き面７２ａがナットガイドシリンダ７３の前端面に当接するまで締結具３０を引っ張る。すると、第２軸部７８が係止孔７５から抜け、更に第１雄螺子部７９が外支柱２２の長孔７４の位置に配される。図１３（ｄ）に示されるように、第１雄螺子部７９は長孔７４におけるストレート孔７６を通過することができるため、内支柱２１を上下方向に移動させることが可能な状態となる。
次いで、ナット部材７２の段付き面７２ａがナットガイドシリンダ７３の前端面に当接するまで引っ張った締結具３０のその状態を保ったまま、アームレスト２０ａまたは締結具３０のノブ３０ｂを持って内支柱２１を外支柱２２に対し上下方向に移動させ、アームレスト２０ａを好みの高さ位置に調整する。この際、高さ調整機構４０（図６参照）により、アームレスト２０ａを４段階の高さ位置に容易に調整することができる。なお、デテントバネ４１がプレート部材４２を挟み込む付勢力によって、締結具３０を締め付ける前の段階でも、アームレスト２０ａの自然落下を防止することができ、アームレスト２０ａを好みの高さ位置に保持することができる。
次いで、アームレスト２０ａの好みの高さ位置が定まったら、引っ張り続けていた締結具３０を離す。すると、スプリング８２の付勢力により、締結具３０の第２軸部７８が外支柱２２の４つの係止孔７５，・・，７５の中から選択された１つの係止孔７５に突入される。
そして、第１雄螺子部７９をナット部材７２の雌螺子部７２ｂにねじ込むようにして締結具３０を締め付けて、外支柱２２に対する内支柱２１の相対位置を固定する。
【００６３】
＜第３の実施形態の作用効果の説明：図１２参照＞
第３の実施形態のアームレスト装置２０Ｂによっても、第１の実施形態のアームレスト装置２０と同様の作用効果を得ることができる。
さらに、第３の実施形態のアームレスト装置２０Ｂにおいては、第２軸部７８を係止孔７５に押し込む方向に移動させる付勢力をナット部材７２を介して締結具３０の螺子軸３０ａに作用させるスプリング８２が設けられる。こうして、第２軸部７８が係止孔７５に向けて押し勝手に付勢されることにより、第２軸部７８の係止孔７５への挿入動作をより容易に行うことができる。また、スプリング８２の付勢力に抗して係止孔７５から第２軸部７８を引き離すように締結具３０を引っ張らない限り、つまり明確な意思を持って係合解除操作を行わない限り、第２軸部７８と係止孔７５との係合状態が解除されない。このため、締結具３０に対して多少の振動や衝撃が加わったり、締結具３０に不意に接触したりしても、第２軸部７８と係止孔７５との係合状態を安定的に保つことができる。
【００６４】
〔第４の実施形態〕
図１４には、本発明の第４の実施形態に係るアームレスト装置の要部の左側面図（ａ）および背面図（ｂ）がそれぞれ示されている。また、図１５には、図１４（ｂ）のＲ−Ｒ線断面図（ａ）、（ａ）のＳ−Ｓ線断面図（ｂ）および（ａ）のＴ−Ｔ線断面図（ｃ）がそれぞれ示されている。なお、本実施形態において、第１の実施形態と同一または同様のものについては図に同一符号を付すに留めてその詳細な説明を省略することとし、以下においては、第１の実施形態と異なる点を中心に説明することとする。
【００６５】
＜内支柱の説明：図１５（ａ）参照＞
図１５（ａ）に示されるように、内支柱２１の上下方向中間部における後側板部２１ａには、丸形状の挿通孔８３が設けられている。
内支柱２１の後側板部２１ａの内面には、挿通孔８３に対応する雌螺子部８４ａを有するナット部材８４が固着されている。
内支柱２１の上下方向中間部における左側板部２１ｃには、当該内支柱２１の上下方向の移動量に応じて上下方向に所定ピッチで丸形状の４つの係止孔８５，・・，８５が設けられている。
【００６６】
＜外支柱の説明：図１４（ｂ）、図１５（ａ）、図１６（ａ）参照＞
図１４（ｂ）および図１５（ａ）に示されるように、外支柱２２の後側板部２２ａには、内支柱２１の上下方向の移動量に応じた長さの長孔８６が設けられている。この長孔８６は、角丸長方形状で、内支柱２１の後側板部２１ａに設けられた挿通孔８３に対応可能に配置されている。
図１６（ａ）に示されるように、外支柱２２の左側板部２２ｃには、内支柱２１の４つの係止孔８５，・・，８５の中から選択された１つの係止孔８５に対応するように丸形状の挿通孔８７が設けられている。
【００６７】
＜締結具の説明：図１５（ａ）参照＞
内支柱２１と外支柱２２とは、締結具３０によって締結されている。これにより、外支柱２２に対する内支柱２１の相対位置が固定される。
締結具３０は、螺子軸３０ａの基端部にノブ３０ｂが設けられて構成されている。螺子軸３０ａは、ノブ３０ｂ側から先端側に向かって同一軸線上に順に形成される軸部８８および雄螺子部８９をそれぞれ有している。
軸部８８は、その端面の外周部が外支柱２２の長孔８６の周縁に接触可能な径寸法に設定されている。
雄螺子部８９は、外支柱２２の長孔８６と内支柱２１の挿通孔８３とを通して、内支柱２１に固着されているナット部材８４の雌螺子部８４ａにねじ込まれる。
【００６８】
＜プランジャ装置の説明：図１４（ａ）（ｂ）、１６（ａ）参照＞
図１４（ａ）（ｂ）に示されるように、外支柱２２には、プランジャ装置９０が付設されている。
図１６（ａ）に示されるように、プランジャ装置９０は、外支柱２２の左側板部２２ｃの外面に挿通孔８７と同心を成して固着されるナット部材９１にねじ込まれるケーシング部９２を備えている。
ケーシング部９２の内部には、プランジャ９３が組み込まれている。
プランジャ９３は、外支柱２２の挿通孔８７を通して、４つの係止孔８５，・・，８５の中から選択される１つの係止孔８５と係合可能とされている。
プランジャ９３の基端部には、外向きに張り出すようにフランジ部９３ａが形成されている。
プランジャ９３の基端面には、連結軸９４が一体的に設けられている。この連結軸９４の基端部には、ケーシング部９２の後側に位置するようにツマミ９５が取り付けられている。このツマミ９５を持って係止孔８５に対するプランジャ９３の抜き差し操作が行われる。
【００６９】
＜プランジャの付勢手段の説明：図１６（ａ）（ｂ）参照＞
ケーシング部９２の内部には、連結軸９４の外周に装着される圧縮コイル型のスプリング９６が組み込まれている。
スプリング９６の前端は、プランジャ９３のフランジ部９３ａに当接されている。スプリング９６の後端は、ケーシング部９２の後端面部に当接されている。
スプリング９６は、プランジャ９３を内支柱２１の係止孔８５に押し込む方向に移動させる付勢力を当該プランジャ９３に作用させる役目をする。
【００７０】
＜落下防止手段の説明：図１６（ａ）（ｂ）参照＞
万一、締結具３０の締付不足等が原因で締結具３０が緩んでいる状態（非固定時）にあるときでも、アームレスト２０ａの落下を防止する落下防止手段５５Ｃが設けられている。この落下防止手段５５Ｃは、内支柱２１に設けられる４つの係止孔８５，・・，８５と、プランジャ９３とにより構成されている。
この落下防止手段５５Ｃにおいては、プランジャ９３が、外支柱２２の挿通孔８７と４つの係止孔８５，・・，８５の中から選択される１つの係止孔８５とを通してその選択された係止孔８５から突出されている。このため、締結具３０が緩んでいる状態にあるときでも、内支柱２１と外支柱２２とがプランジャ９３によって互いに引っ掛かった状態になり、外支柱２２に対する内支柱２１の上下方向の相対移動が止められる。これにより、アームレスト２０ａが落下するのを確実に防止することができる。
【００７１】
＜高さ調整機構と落下防止手段の関係説明：図６、図１６（ａ）（ｂ）参照＞
図１６（ａ）（ｂ）に示される４つの係止孔８５，・・，８５の上下方向のピッチと図６に示される４組の係合谷部４６，４６；・・；４６，４６の上下方向のピッチとは、一致されている。このため、高さ調整機構４０によって外支柱２２に対する内支柱２１の相対的な位置を４段階に調整する際、外支柱２２に設けられる４つの係止孔８５，・・，８５のうちの調整段階毎に対応する１つの係止孔８５と、内支柱２１の挿通孔８７との高さ位置を自動的に一致させることができる。したがって、その高さ調整後において、選択された係止孔８５にプランジャ９３を突入させる係止操作を容易に行うことができる。
【００７２】
＜アームレストの高さ調節動作の説明：図４（ａ）、図１６（ａ）〜（ｄ）参照＞
アームレスト２０ａの高さを調節するときには、締結具３０を十分に緩める。このとき、プランジャ９３は、スプリング９６によって内支柱２１の係止孔８５に押し込まれるように付勢されているので、図１６（ａ）に示されるように、プランジャ９３が４つの係止孔８５，・・，８５のいずれか１つの係止孔８５と係合されている状態が保持される。
次いで、アームレスト２０ａの現在の高さ位置を保持するようにアームレスト２０ａまたは締結具３０のノブ３０ｂを持った状態で、図１６（ｃ）に示されるように、スプリング９６の付勢力に抗してプランジャ９３が係止孔８５から抜けるまでツマミ９５を持って引っ張り、更にスプリング９６が全縮状態になるまでプランジャ９３を引っ張る。すると、プランジャ９３と係止孔８５との係合状態が解除され、内支柱２１を上下方向に移動させることが可能な状態となる。
次いで、スプリング９６が全縮状態になるまで引っ張ったプランジャ９３のその状態を保ったまま、アームレスト２０ａまたは締結具３０のノブ３０ｂを持って内支柱２１を外支柱２２に対し上下方向に移動させ、アームレスト２０ａを好みの高さ位置に調整する。この際、高さ調整機構４０（図６参照）により、アームレスト２０ａを４段階の高さ位置に容易に調整することができる。なお、デテントバネ４１がプレート部材４２を挟み込む付勢力によって、締結具３０を締め付ける前の段階でも、アームレスト２０ａの自然落下を防止することができ、アームレスト２０ａを好みの高さ位置に保持することができる。
次いで、アームレスト２０ａの好みの高さ位置が定まったら、引っ張り続けていたツマミ９５を離す。すると、スプリング９６の付勢力により、プランジャ９３が外支柱２２の挿通孔８７を通して内支柱２１の４つの係止孔８５，・・，８５の中から選択された１つの係止孔８５に突入される。
そして、締結具３０の雄螺子部８９をナット部材８４の雌螺子部８４ａにねじ込むようにして締結具３０を締め付けて、外支柱２２に対する内支柱２１の相対位置を固定する。
【００７３】
＜第４の実施形態の作用効果の説明：図１６参照＞
第４の実施形態のアームレスト装置２０Ｃによっても、第１の実施形態のアームレスト装置２０と同様の作用効果を得ることができる。
さらに、第４の実施形態のアームレスト装置２０Ｃにおいては、外支柱２２に外付けのプランジャ装置９０によってアームレスト２０ａの落下防止手段５５Ｃが構成されている。このため、既存のアームレスト装置にも適用可能であるという利点がある。
【００７４】
以上、本発明の建設機械のアームレスト装置について、複数の実施形態に基づいて説明したが、本発明は上記実施形態に記載した構成に限定されるものではなく、各実施形態に記載した構成を適宜組み合わせる等、その趣旨を逸脱しない範囲において適宜その構成を変更することができるものである。
【産業上の利用可能性】
【００７５】
本発明の建設機械のアームレスト装置は、アームレストの高さ位置の固定に関わる締結具の緩みを防止することができるとともに、万一、締結具の締付不足等が原因で締結具が緩んでいるとしても、アームレストが落下するのを防止することができるという特性を有していることから、油圧ショベルやブルドーザ、ホイールローダ等の建設機械用のアームレスト装置の用途に好適に用いることができる。
【符号の説明】
【００７６】
１        油圧ショベル（建設機械）
２０      アームレスト装置（第１の実施形態）
２０Ａ    アームレスト装置（第２の実施形態）
２０Ｂ    アームレスト装置（第３の実施形態）
２０Ｃ    アームレスト装置（第４の実施形態）
２０ａ    アームレスト
２１      内支柱（第１の支柱）
２２      外支柱（第２の支柱）
２５      第１の挿通孔
２６      ナット部材
２７      第２の挿通孔
２８      長孔
２９      係止孔
３０      締結具
３５      第３軸部（係止軸部）
５０      緩み防止手段
５１      丸棒
５２      反力受けプレート
５２ａ    溝部
５５      落下防止手段（第１の実施形態）
５５Ａ    落下防止手段（第２の実施形態）
５５Ｂ    落下防止手段（第３の実施形態）
５５Ｃ    落下防止手段（第４の実施形態）
５６      長孔
５７      係止孔
５９      ナット部材
６２      挿通孔
６６      第２軸部（係止軸部）
６９      スプリング
７１      挿通孔
７２      ナット部材
７４      長孔
７５      係止孔
７８      第２軸部（係止軸部）
８２      スプリング
８３      挿通孔
８４      ナット部材
８５      係止孔
８６      長孔
９３      プランジャ
９６      スプリング
【図１】
0005529063.tif 000002
【図２】
0005529063.tif 000003
【図３】
0005529063.tif 000004
【図４】
0005529063.tif 000005
【図５】
0005529063.tif 000006
【図６】
0005529063.tif 000007
【図７】
0005529063.tif 000008
【図８】
0005529063.tif 000009
【図９】
0005529063.tif 000010
【図１０】
0005529063.tif 000011
【図１１】
0005529063.tif 000012
【図１２】
0005529063.tif 000013
【図１３】
0005529063.tif 000014
【図１４】
0005529063.tif 000015
【図１５】
0005529063.tif 000016
【図１６】
0005529063.tif 000017
【図１７】
0005529063.tif 000018